(57)【要約】      （修正有）【課題】使用時における良好な装着感を確保しつつ、履物を履いた際の見栄えを損なわないインソールを提供する。【解決手段】履物の中底の上に敷設するインソール本体２と、このインソール本体２の上面前端部に連設され、足指を通す透孔５が形成された、後方向きに開口する袋状のカバー部３と、を有するインソール１を構成する。足指を透孔５に通すことによって、足指がカバー部３の先端側に露出した状態となる。このうように、足指をカバー部３の先端側に露出させることで、良好な装着感を確保しつつ、足先を露出するタイプの履物を履いた際に、履物の先端側からインソール１のカバー部３が見えるのを防止して、履物を履いた際の見栄えを損なわないようにすることができる。【選択図】図１
0003187764.tif 000002
【実用新案登録請求の範囲】
【請求項１】
履物（Ｓ）の中底の上に敷設するインソール本体（２）と、
前記インソール本体（２）の上面前端部に連設され、足指（Ｆ）を通す透孔（５）が形成された、後方向きに開口する袋状のカバー部（３）と、
を有するインソール。
【請求項２】
前記インソール本体（２）の足指付け根に相当する位置、又は土踏まずに相当する位置の少なくとも一方に、表面側に盛り上がる隆起部（４ａ、４ｂ）を形成した請求項１に記載のインソール。
【考案の詳細な説明】
【技術分野】
【０００１】
この考案は、主としてミュールやパンプス等の履物を素足で履く際に用いるインソールに関する。
【背景技術】
【０００２】
ミュールやパンプス等のように素足のまま直接履く履物を使用する際には、足裏からの汗によって履物内が蒸れて不衛生になるのを防止すべく、履物の中底に吸湿性を有するインソール（中敷き）を敷設することが多い。このインソールとして、例えば特許文献１から３に示す構成のものがある。
【０００３】
特許文献１には、履物の中底とほぼ同形状に形成されるとともに、つま先部分が切断された平坦な形状のインソールが示されている（本文献の図２等を参照）。特許文献２には、履物の中底と同形状に形成されるとともに、その裏面側に粘着剤を塗布し、履物の使用中に中底から浮き上がるのを防止した中敷きが示されている（本文献の図１等を参照）。特許文献３には、履物の中底と同形状に形成されるとともに、その左右方向の両端部にピンを設けた中敷が示されている（本文献の図１を参照）。このピンを履物に固定することで、中敷が中底からずれたり脱落したりするのを防止している。
【０００４】
また、図６に示すように、履物の中底と同形状に形成されたインソール本体１２と、このインソール本体１２の上面前端部に連設された、後方向きに開口する袋状のカバー部１３とを有するインソール１１がある。このようにカバー部１３を設け、このカバー部１３につま先を挿し込むことにより、インソール１１がしっかりと足に固定される。このインソール１１自体は中底に固定されていないが、足とインソール１１の位置関係が使用中にずれないため、良好な装着感を得ることができる。
【先行技術文献】
【特許文献】
【０００５】
【特許文献１】登録実用新案第３１８３２４３号公報
【特許文献２】登録実用新案第３０５１９１９号公報
【特許文献３】特開２００４−３５７９７０号公報
【考案の概要】
【考案が解決しようとする課題】
【０００６】
特許文献１に係るインソールは単なる平坦形状をしているため、使用中に中底から浮き上がって、中底と足裏との間でバタつきが生じやすい。このため、使用者が良好な履き心地を得にくいという問題がある。また、特許文献２に係る中敷きは、粘着剤の作用によって中底から浮き上がることはないが、一旦中底に敷設すると再び取り外すのが困難となることがある。このため、中敷きの手入れが疎かになって、衛生状態が損なわれかねない問題がある。また、特許文献３に係る中敷は、ピンを履物に固定する構成のため、ピンが足に触れて使用者に不快感が生じたり、このピンによって履物が傷みやすくなったりする問題がある。さらに、図６に示すインソール１１は、つま先をカバー部１３で覆う構成のため、足先を露出するタイプの履物に使用した場合、この履物の先端側からインソール１１のカバー部１３が見えてしまい、見栄えが大きく損なわれるという問題がある。
【０００７】
そこで、この考案は、インソールの使用時における良好な装着感を確保しつつ、履物を履いた際の見栄えを損なわないようにすることを課題とする。
【課題を解決するための手段】
【０００８】
上記の課題を解決するため、この考案は、履物の中底の上に敷設するインソール本体と、前記インソール本体の上面前端部に連設され、足指を通す透孔が形成された、後方向きに開口する袋状のカバー部と、を有するインソールを構成した。
【０００９】
インソール本体にカバー部を連設し、このカバー部につま先を挿し込むことによって、このインソールがしっかりと足に装着された状態となる。しかも、透孔に足指を通すことにより、足先がカバー部から露出した状態となる。このため、足先を露出するタイプの履物を使用する際に、この履物の先端側からインソールのカバー部が見えるのを防止することができる。このため、インソールによる良好な装着感を確保しつつ、履物を履いた際の見栄えを損なわないようにすることができる。
【００１０】
前記構成においては、前記インソール本体の足指付け根に相当する位置、又は土踏まずに相当する位置の少なくとも一方に、表面側に盛り上がる隆起部を形成した構成とするのが好ましい。
【００１１】
この隆起部は、足指付け根や土踏まずといった足裏の凹部にフィットして、足裏と中底の間の隙間を極力なくす作用を発揮する。このため、インソールの装着感を一層向上することができる。
【考案の効果】
【００１２】
この考案に係るインソールは、履物の中底に敷設するインソールの上面前端部に、足指を通す透孔が形成された袋状のカバー部を連設し、このカバー部につま先を挿し込むことによって、インソールがしっかりと足に装着された状態とした。このため、履物の中底と足裏との間でインソールがバタつくのを防止することができ、良好な装着感を確保することができる。しかも、つま先がカバー部から露出した状態とすることができ、足先を露出するタイプの履物を使用する際の見栄えを損なわないようにすることができる。
【図面の簡単な説明】
【００１３】
【図１】本願考案に係るインソールの第一実施形態を示し、（ａ）は斜視図、（ｂ）は平面図
【図２】図１に示すインソールを示し、（ａ）は底面図、（ｂ）は図１（ｂ）中のｂ−ｂ線に沿う断面図、（ｃ）は図１（ｂ）中のｃ−ｃ線に沿う断面図、（ｄ）は図１（ｂ）中のｄ−ｄ線に沿う断面図
【図３】図１に示すインソールを装着した状態を示す縦断面図
【図４】図１に示すインソールを装着した上で履物を履いた状態を示す斜視図
【図５】本願考案に係るインソールの第二実施形態を示し、（ａ）は斜視図、（ｂ）は平面図
【図６】従来技術に係るインソールを示し、（ａ）は斜視図、（ｂ）は平面図
【考案を実施するための形態】
【００１４】
本願考案に係るインソール１の第一実施形態を図１から図４に示す。このインソール１は、履物Ｓの中底の上に敷設するインソール本体２と、このインソール本体２の上面前端部に連設され、後方向きに開口する袋状のカバー部３とを有する。
【００１５】
インソール本体２の足指付け根に相当する位置と、土踏まずに相当する位置の表面側には、足裏の凹形状に対応する隆起部４ａ、４ｂが形成されている（図１及び図２（ｂ）から（ｄ）を参照）。インソール本体２は、クッション性と吸湿性を備えたポリエステルを含む素材からなり、隆起部４ａ、４ｂは、ウレタンフォームをインソール本体２の表面側に設ける（インソール本体２を覆う薄手の被覆材の中に所定形状に成形したウレタンフォームを詰め込む）ことによって構成されている。このように隆起部４ａ、４ｂを構成することにより、インソール１の装着時に隆起部４ａ、４ｂが足裏にフィットして、良好な装着感を得ることができる。この隆起部４ａ、４ｂの両方又は一方を設けない構成とすることもできる。
【００１６】
カバー部３には、５本の足指Ｆをそれぞれ通すための５つの透孔５が形成されている。足指Ｆを透孔５に通すことによって、足指Ｆがカバー部３の先端側に露出した状態とすることができる（図３を参照）。このように足指Ｆを露出させた状態で、足先を露出するタイプの履物Ｓ（オープントゥパンプス等）を履くと、足指Ｆを履物Ｓの先端側から露出させつつ、この先端側からインソール１のカバー部３が見えるのを防止することができる（図４を参照）。
【００１７】
カバー部３は、伸縮性と吸湿性を備えたポリウレタンを含む素材が用いられており、インソール１の装着時に、その伸縮性によって、つま先をしっかりとホールドするようになっている。このため、履物Ｓの中底と足裏との間でインソール１がバタつくのを防止することができ、良好な装着感を確保することができる。また、５つの透孔５を形成することにより、足指Ｆの間にカバー部３が入り込む。このため、足指Ｆの間の湿気がカバー部３によって吸収され、蒸れ防止を図ることができる。
【００１８】
透孔５は、レーザ加工によって形成されている。このレーザ加工においては、透孔５の内縁において切断された繊維同士が、加工に伴う熱で溶着するため、この内縁における繊維のほつれが生じにくい。このため、インソール１の耐久性向上を図ることができる。透孔５の形成においては、レーザ加工以外の加工手段も適宜採用することができる。
【００１９】
この第一実施形態においては、５つの透孔５を形成して、５本の足指Ｆをそれぞれ別々の透孔５に挿し込む構成としたが、例えば、第一指を挿し込む透孔５と、第二指から第五指をまとめて挿し込む透孔５の２つの透孔５を形成した態様とすることもできる。この場合も、インソール１の装着時に、カバー部３によってつま先をしっかりホールドする作用と、第一指と第二指の間の湿気をカバー部３によって吸収して、蒸れ防止を図る作用が発揮されるためである。
【００２０】
インソール本体２の裏面には、滑り止め部６が点状に分布して形成されている（図２（ａ）を参照）。この滑り止め部６を形成することにより、インソール１が中底に対して不用意にずれるのを防止することができ、このインソール１の装着感を一層向上することができる。この滑り止め部６の素材として、ゴムや樹脂等を採用できる。
【００２１】
このインソール１は、履物Ｓの中底に敷いたまま使用するのではなく、足に履くタイプなので、使用者がその汚れに気付きやすい。このため、汚れがひどくなる前に速やかに洗濯することができ、常に清潔な状態を保ちつつ使用することができる。
【００２２】
この考案に係るインソール１の第二実施形態を図５に示す。このインソール１は、第一実施形態に係るインソール１と基本構成は同じであるが、インソール本体２の前後方向の長さが、第一実施形態に係るものの約半分程度である点において相違している。この場合も、足指Ｆがカバー部３に形成した透孔５に挿し込まれて、インソール１の装着時に、つま先をしっかりとホールドするようになっている。また、履物Ｓを履いた際に特に蒸れが生じやすい足指Ｆの間にカバー部３が入り込むので、第一実施形態に係るインソール１と同等の蒸れ防止作用が発揮される。この第二実施形態では、インソール本体２の長さを第一実施形態に係るインソール本体２の長さの約半分程度としたが、この長さは適宜変更することもできる。
【００２３】
上記の各実施形態はあくまでも例示であって、本願考案の、インソール１の使用時における良好な装着感を確保しつつ、履物Ｓを履いた際の見栄えを損なわないようにする、という課題を解決し得る限りにおいて、構成部材の形状、材質等を適宜変更することも許容される。
【符号の説明】
【００２４】
１  インソール
２  インソール本体
３  カバー部
４ａ、４ｂ  隆起部
５  透孔
６  滑り止め部
Ｆ  足指
Ｓ  履物
【図１】
0003187764.tif 000003
【図２】
0003187764.tif 000004
【図３】
0003187764.tif 000005
【図４】
0003187764.tif 000006
【図５】
0003187764.tif 000007
【図６】
0003187764.tif 000008